(57)【要約】  【課題】  容量の多い画像データデータを効率的に転送しながらも通信のためのハードウェアコストを低減させることができる画像データ通信制御装置を提供する。  【解決手段】  第一画像処理部３と第二画像処理部２との間に接続され、前記第一画像処理部３で処理された画像データを前記第二画像処理部２にシリアル転送するデータ転送バスＴＣと、前記第一画像処理部３に設けられ、前記データ転送バスＴＣを制御するバス制御部５０とを備えて構成される画像データ通信制御装置であって、前記バス制御部５０に、画像データをバーストモードで転送するバースト転送制御部５０１と、制御データをシングルモードで転送するシングル転送制御部５０２とを備え、何れかを選択的に作動させる転送モード制御部５００を設ける。  【選択図】  図４
2006186754.tif 000002
【特許請求の範囲】
【請求項１】
第一画像処理部と第二画像処理部との間に接続され、前記第一画像処理部で処理された画像データを前記第二画像処理部にシリアル転送するデータ転送バスと、前記第一画像処理部に設けられ、前記データ転送バスを制御するバス制御部とを備えて構成される画像データ通信制御装置であって、
前記バス制御部に、画像データをバーストモードで転送するバースト転送制御部と、制御データをシングルモードで転送するシングル転送制御部とを備え、何れかが選択的に作動するように構成されている画像データ通信制御装置。
【請求項２】
前記バス制御部は、前記第二画像処理部から入力される送信準備信号に基づいて前記バースト転送制御部または前記シングル転送制御部によるデータ転送の開始または中断を制御するように構成されている請求項１記載の画像データ通信制御装置。
【請求項３】
前記バス制御部は、前記バースト転送制御部による画像データの転送に優先して前記シングル転送制御部による制御データを転送するように構成されている請求項１または２記載の画像データ通信制御装置。
【請求項４】
前記バス制御部は、前記バースト転送制御部による画像データの転送と、前記シングル転送制御部による制御データを転送の優先度を設定可能に構成されている請求項１または２記載の画像データ通信制御装置。
【請求項５】
前記データ転送バスが、差動データ伝送方式によるものである請求項１から４の何れかに記載の画像データ通信制御装置。
【発明の詳細な説明】
【技術分野】
【０００１】
第一画像処理部と第二画像処理部との間に接続され、前記第一画像処理部で処理された画像データを前記第二画像処理部にシリアル転送するデータ転送バスと、前記第一画像処理部に設けられ、前記データ転送バスを制御するバス制御部とを備えて構成される画像データ通信制御装置に関する。
【背景技術】
【０００２】
上述の画像データ通信制御装置としては、第一画像処理部としてのプリンタコントローラと、第二画像処理装置としてのプリンタエンジンとの間に接続され、前記プリンタコントローラから前記プリンタエンジンに画像データを高速に転送する差動データ伝送方式の一種であるＬＶＤＳ（Ｌｏｗ  Ｖｏｌｔａｇｅ  Ｄｉｆｆｅｒｅｎｔｉａｌ  Ｓｉｇｎａｌｉｎｇ：低電圧差動通信）方式や、光伝送モジュールを採用したデータ転送バスと、前記プリンタコントローラと前記プリンタエンジンとの間の制御データを送受信するＡＲＣＮＥＴ（Ａｔｔａｃｈｅｄ  Ｒｅｓｏｕｒｃｅ  Ｃｏｍｐｕｔｅｒ  ＮＥＴｗｏｒｋ：改良型トークンパッシング方式のＬＡＮプロトコル）による全二重通信可能なデータ転送バスを備えたものが提案されている。
【特許文献１】特開２００４−２３７５９９号公報
【発明の開示】
【発明が解決しようとする課題】
【０００３】
しかし、上述した従来の画像データ通信制御装置は、画像データ転送用のデータ転送バスと、制御データ転送用のデータ転送バスの二系統のバスを備えるものであったため、画像データの転送シーケンスにかかわらず、独立してコマンドや画像データの属性データ（サイズやアドレス情報等）でなる制御データを送信可能であるものの、ハードウェアコストが嵩み、経済性という観点で更なる改良の余地があった。
【０００４】
本発明は上述した従来の問題点に鑑みてなされたものであり、容量の多い画像データを効率的に転送しながらも通信のためのハードウェアコストを低減させることができる画像データ通信制御装置を提供する点にある。
【課題を解決するための手段】
【０００５】
上述の目的を達成するため、本発明による画像データ通信制御装置の第一の特徴構成は、特許請求の範囲の書類の請求項１に記載した通り、第一画像処理部と第二画像処理部との間に接続され、前記第一画像処理部で処理された画像データを前記第二画像処理部にシリアル転送するデータ転送バスと、前記第一画像処理部に設けられ、前記データ転送バスを制御するバス制御部とを備えて構成される画像データ通信制御装置であって、前記バス制御部に、画像データをバーストモードで転送するバースト転送制御部と、制御データをシングルモードで転送するシングル転送制御部とを備え、何れかが選択的に作動するように構成されている点にある。
【０００６】
上述の構成によれば、単一のデータ転送バスを用いて第一画像処理部から第二画像処理部に画像データと制御データの双方を転送することができるようになるので、データ転送のためのハードウェアコストを低減させることができる。しかも、バス制御部によって、大容量の画像データを転送する際にはバーストモードで高速に転送し、制御データを転送する際にはシングル転送モードにより確実に転送するように選択的に作動するように制御されるので、データの特性に応じて適切にデータ転送が行なわれるようになるのである。
【０００７】
同第二の特徴構成は、同請求項２に記載した通り、上述の第一の特徴構成に加えて、前記バス制御部は、前記第二画像処理部から入力される送信準備信号に基づいて前記バースト転送制御部または前記シングル転送制御部によるデータ転送の開始または中断を制御するように構成されている点にある。
【０００８】
この場合、転送されるデータの受信先からの送信準備信号に基づいてデータ転送の開始または中断が制御されるように構成されているので、第二画像処理部の処理の状況に応じて適切な量のデータを転送することが可能になる。従って、第二画像処理部側に大容量のバッファメモリを設けなくとも画像データ等を取り溢す虞なく各種処理を円滑に実行することが可能になるのである。
【０００９】
同第三の特徴構成は、同請求項３に記載した通り、上述の第一または第二の特徴構成に加えて、前記バス制御部は、前記バースト転送制御部による画像データの転送に優先して前記シングル転送制御部による制御データを転送するように構成されている点にある。
【００１０】
このように構成することによって、第一画像処理部が第二画像処理部に対して制御データを優先的に転送することができるようになり、大容量の画像データの転送中に緊急を要する制御データを迅速に転送することができるようになる。
【００１１】
同第四の特徴構成は、同請求項４に記載した通り、上述の第一または第二の特徴構成に加えて、前記バス制御部は、前記バースト転送制御部による画像データの転送と、前記シングル転送制御部による制御データを転送の優先度を設定可能に構成されている点にある。
【００１２】
上述の構成によれば、大容量の画像データの転送を優先させるか、制御データの転送を優先させるかが設定可能に構成されているので、何れを優先させるかを用途に応じて切り替えることができ、汎用性に富んだものとなる。
【００１３】
同第五の特徴構成は、同請求項５に記載した通り、上述の第一から第四の特徴構成の何れかに加えて、前記データ転送バスが、差動データ伝送方式によるものである点にある。
【００１４】
上述の構成を採用することにより、画像データの高速転送が安価且つ高精度に実現できるのである。
【発明の効果】
【００１５】
以上説明した通り、本発明によれば、容量の多い画像データデータを効率的に転送しながらも通信のためのハードウェアコストを低減させることができる画像データ通信制御装置を提供することができるようになった。
【発明を実施するための最良の形態】
【００１６】
以下に本発明による画像データ通信制御装置が写真処理装置に搭載された場合を説明する。図１に示すように、写真画像処理装置１は、印画紙Ｐに対して出力画像データに基づいた露光処理を行なうと共に露光された印画紙を現像処理する写真プリンタ２と、現像済みの写真フィルムＦから画像を読み込むフィルムスキャナ３１やデジタルスチルカメラ等で撮影された画像データが格納されたメモリカード等の画像データ記憶メディアＭから画像データを読み取るメディアドライバ３２や、コントローラ３３としての汎用コンピュータ等を備え、入力された元画像としての写真画像に対するプリントオーダ情報を設定入力するとともに、各種の画像補正処理を行なう操作ステーション３を備えて構成され、前記操作ステーション３で元画像から編集処理されたプリントデータが前記写真プリンタ２に出力されて所望の写真プリントが生成される。
【００１７】
図３に示すように、前記操作ステーション３により第一画像処理部が構成され、前記写真プリンタ２により第二画像処理部が構成され、それらの間に前記第一画像処理部で処理された画像データとしてのプリントデータを前記第二画像処理部にデータ転送バスＣを介してシリアル転送する画像データ通信制御装置ＴＣが設けられている。
【００１８】
前記写真プリンタ２は、図１及び図２に示すように、ロール状の印画紙Ｐを収容した二系統の印画紙マガジン２１と、前記印画紙マガジン２１から引き出された印画紙Ｐを所定のプリントサイズに切断するシートカッター２２と、切断後の印画紙Ｐの背面にコマ番号等のプリント情報を印字するバックプリント部２３と、前記プリントデータに基づいて印画紙Ｐを露光する露光部２４と、露光後の印画紙Ｐを現像、漂白、定着するための各処理液が充填された複数の処理槽２５ａ，２５ｂ，２５ｃを備えた現像処理部２５が印画紙Ｐの搬送経路に沿って配置され、現像処理後に乾燥処理された印画紙Ｐが排出される横送りコンベア２６と、横送りコンベア２６に集積された複数枚の印画紙（写真プリント）Ｐがオーダー単位で仕分けられるソータ２７を備えて構成される。
【００１９】
前記搬送経路に沿って配置された前記露光部２４や現像処理部２５に応じたプロセス速度で印画紙Ｐを搬送する複数のローラ対でなる搬送機構２８が配置され、前記露光部２４の前後には印画紙Ｐを複列に搬送可能なチャッカー式搬送機構２８ａが設けられている。
【００２０】
前記露光部２４には、前記搬送機構２８によって副走査方向に搬送される印画紙Ｐに対して、搬送方向に直交する主走査方向に前記プリントデータに基づき変調されたＲＧＢ三色の光線束を出力して露光する露光ヘッド２４ａが収容されている。
【００２１】
前記操作ステーション３に設けられたコントローラ３３には、汎用のオペレーティングシステムの管理下で動作し、前記写真処理装置１の各種制御が実行されるアプリケーションプログラムがインストールされ、オペレータとの操作インターフェースとしてモニタ３４、キーボード３５、マウス３６等が接続されている。
【００２２】
前記コントローラ３３のハードウェア及びソフトウェアの協同により実行される写真処理プロセスを機能ブロックで説明すると、図３に示すように、前記フィルムスキャナ３１やメディアドライバ３２によって読み取られた元画像としての写真画像を受け取り、所定の前処理を行なって後述のメモリ４１に転送する画像入力部４０と、前記モニタ３４の画面にプリントオーダ情報や画像編集情報を表示するとともに、それらに対して必要なデータ入力のための操作用アイコンを表示するグラフィック操作画面の生成や、表示されたグラフィック操作画面に対する前記キーボード３５やマウス３６からの入力操作に基づいて各種の制御コマンドを生成するグラフィックユーザーインターフェース部４２と、前記画像入力部４０から転送される元画像データ及び後述の画像処理部４７による補正処理後の補正画像データやそのときの処理パラメータ、更には設定されたプリントオーダ情報等が区画されて格納されるメモリ４１と、プリントオーダ情報を生成するオーダー処理部４３と、前記メモリ４１に格納された元画像に対して階調補正、カラー補正、拡縮処理、歪補正等の各種の補正を行なう画像処理部４７と、前記グラフィックユーザーインターフェース部４２からの表示コマンドに基づいて前記メモリ４１に展開された元画像や補正画像データ、更には各種の入出力用グラフィックデータ等を前記モニタ３４に表示処理するビデオＲＡＭ等を備えた表示制御部４６と、各種の補正処理が終了した最終の補正画像を前記写真プリンタ２に出力するためのプリントデータを生成するプリントデータ生成部４４と、顧客のオーダーに応じて最終の補正画像をＣＤ−Ｒ等の記憶媒体に書き込むためのファイル形式に変換するフォーマッタ部４５等で構成される。
【００２３】
前記コントローラ３３は、前記プリントデータ生成部４４でプリントデータが生成されると、前記画像データ通信制御装置ＴＣを介して前記写真プリンタ２にプリント生成コマンドを転送するとともに画像データとしてのプリントデータを転送する。
【００２４】
図４に示すように、前記画像データ通信制御装置ＴＣは、前記データ転送バスＣと、前記コントローラ３３側に設置され、前記データ転送バスＣを制御する送信側バス制御部５０と、前記写真プリンタ２側に設置され、前記データ転送バスＣを制御する受信側バス制御部５１を備えて構成されている。
【００２５】
前記データ転送バスＣは、ＬＶＤＳ（Ｌｏｗ  Ｖｏｌｔａｇｅ  Ｄｉｆｆｅｒｅｎｔｉａｌ  Ｓｉｇｎａｌｉｎｇ：低電圧差動通信）方式が採用された一対のシリアルデータ転送部で、前記コントローラ３３側に設置されたＬＶＤＳドライバＣ１とＬＶＤＳレシーバＣ２と、前記写真プリンタ２側に設置されたＬＶＤＳレシーバＣ３とＬＶＤＳドライバＣ４とＬＶＤＳケーブルを備えている。
【００２６】
前記送信側バス制御部５０は、ＰＣＩバスを介して前記コントローラ３３に接続され、前記プリントデータ生成部４４で生成されたプリントデータを前記ＬＶＤＳドライバＣ１を介してバースト転送するバースト転送制御部５０１と、前記プリントデータ生成部４４からの制御データを受信して前記ＬＶＤＳドライバＣ１を介してシングル転送するシングル転送制御部５０２と、前記バースト転送制御部５０１によるバースト転送モードと前記シングル転送制御部５０２によるシングル転送モードとを選択的に切り替えるとともに、各転送シーケンスの中断処理を実行する転送モード制御部５００を備えて構成されている。
【００２７】
前記バースト転送制御部５０１は、ＰＣＩバスを介して得られた３２ビット単位で受信されるプリントデータを２つに分割した１６ビットと、３ビットの通信制御データを付加した１９ビットのパラレル送信データを生成して前記ＬＶＤＳドライバＣ１に出力し、前記ＬＶＤＳドライバＣ１は、受信した１９ビットの送信データとデータ受信用として使用している受信準備信号２ビットの計２１ビットを７ビット×３本のシリアルデータに変換して所定周波数のクロック（ＣＬＫ）に同期して写真プリンタ２側のＬＶＤＳレシーバＣ３に出力する。前記転送モード制御部５００からのバースト転送許容信号がオンレベルのときにこのようなバースト転送処理が繰り返され、バースト転送許容信号がオフレベルになると、次にオンレベルになるまで新たなデータの転送を中断する。
【００２８】
前記シングル転送制御部５０２は、ＰＣＩバスを介して得られた３２ビット単位のコマンドや、画像データのサイズ情報等の属性データでなる制御データを２つに分割した１６ビットと、３ビットの通信制御データを付加した１９ビットのパラレル送信データを生成して前記ＬＶＤＳドライバＣ１に出力し、前記ＬＶＤＳドライバＣ１は、受信した１９ビットの送信データとデータ受信用として使用している受信準備信号２ビットの計２１ビットを７ビット×３本のシリアルデータに変換して所定周波数のクロック（ＣＬＫ）に同期して写真プリンタ２側のＬＶＤＳレシーバＣ３に出力する。前記転送モード制御部５００からのシングル転送許容信号がオンレベルのときにこのようなシングル転送処理が許容される。シングル転送許容信号がオフレベルになると、次にオンレベルになるまで新たなデータの転送を中断するのはバースト転送モードと同様である。
【００２９】
前記転送モード制御部５００は、前記ＬＶＤＳレシーバＣ２を介して前記写真プリンタ２側から送信されるバースト転送及びシングル転送の夫々に対応した受信準備信号に基づいて、前記バースト転送制御部５０１に対するバースト転送許容信号及び前記シングル転送制御部５０２に対するシングル転送許容信号をオンオフ制御するように構成され、前記プリントデータ生成部４４からコマンドとプリントデータの双方が同時期に入力されるときには、前記バースト転送制御部５０１と前記シングル転送制御部５０２との何れかを選択的に作動させることにより、同一のシリアル転送バス上にプリントデータと制御データの双方を転送可能に構成されている。
【００３０】
前記バースト転送制御部５０１及び前記シングル転送制御部５０２から出力されるデータは、図５に示すように、ビット０からビット１５までの１６ビットにプリントデータまたは制御データが配置され、ビット１６からビット１８までの３ビットに転送制御データが配置される。また、ビット１９からビット２０の２ビットには写真プリンタ２側からの受信準備信号、つまりビット１９にはシングル転送モードに対応する受信準備信号（Ｓ  Ｒｄｙ）が、ビット２０にはバースト転送モードに対応する受信準備信号（Ｂ  Ｒｄｙ）が夫々割り当てられている。
【００３１】
前記転送制御データは、図６に示すように、シングル転送データとバースト転送データの識別及びアッパーデータとローデータの識別データとして定義されている。従って、後述のＬＶＤＳ制御部５１０は、当該転送制御データに基づいて受信されたデータを判別して元の送信データを再生することが可能となる。
【００３２】
前記受信側バス制御部５１は、ＬＶＤＳレシーバＣ３で受信された１９ビットのパラレルデータを受信し、プリントデータと制御データを分離識別して再生するとともに、ＬＶＤＳドライバＣ４に対してバースト転送及びシングル転送の夫々に対応した受信準備信号を出力するＬＶＤＳ制御部５１０と、前記ＬＶＤＳ制御部５１０により受信されたプリントデータを一時格納する３２ワード×３２ビットの容量のＦＩＦＯ方式のバッファメモリ５１２と、バッファメモリ５１２へデータを書込み制御するＤＭＡ書込み制御部５１１と、バッファメモリ５１２からデータを読出し制御するＤＭＡ読出し制御部５１３と、プリントデータ用外部インターフェース制御部５１４と、前記ＬＶＤＳ制御部５１０により受信された制御データを一時格納する３２ワード×３２ビットの容量のＦＩＦＯ方式のバッファメモリ５１５と、制御データ用外部インターフェース制御部５１６を備え、ハードウェア記述言語の一種であるＶＨＤＬを用いて開発可能なプログラマブルゲートアレイＦＰＧＡで構成されている。
【００３３】
前記プリントデータ用外部インターフェース制御部５１４及び前記制御データ用外部インターフェース制御部５１６は、インターフェース制御部５２を介して前記写真プリンタ２を制御する写真プリンタコントローラに接続されている。
【００３４】
前記バッファメモリ５１２は、自身に書き込み可能なデータ残容量が書込み不可能となるフルの容量より所定容量少ない容量、例えば２８ワードに達したときに、バースト受信準備信号（Ｂ  Ｒｄｙ）源としてのニヤリーフルフラグ（Ｎｅａｒｌｙ  ＦＦ）をセットしてＤＭＡ書込み制御部５１１を介して前記ＬＶＤＳ制御部５１０に出力するバースト受信準備信号生成部を備え、前記バッファメモリ５１５も、同様に、自身に書き込み可能なデータ残容量が書込み不可能となるフルの容量より所定容量少ない容量、例えば２８ワードに達したときに、シングル受信準備信号（Ｓ  Ｒｄｙ）源としてのニヤリーフルフラグ（Ｎｅａｒｌｙ  ＦＦ）をセットして前記ＬＶＤＳ制御部５１０に出力するシングル受信準備信号生成部を備えている。
【００３５】
即ち、前記受信準備信号生成部は、前記バッファメモリ５１２、５１５に格納されたデータの読出し処理状態に基づいて受信準備信号を生成するものであり、書込み不可能となるフルの容量より所定容量だけ少ない容量とは、前記バッファメモリ５１２、５１５の残容量が、ニヤリーフルフラグ（Ｎｅａｒｌｙ  ＦＦ）をセット（オン）した後、又は、受信準備信号を送信した後に受信される全データが前記バッファメモリ５１２、５１５に書き込み可能な所定の容量をいい、データの転送速度、バッファメモリ５１２、５１５に対する書込み、読出し速度により適宜設定可能な容量である。
【００３６】
何れかのニヤリーフルフラグ（Ｎｅａｒｌｙ  ＦＦ）がセットされた後、バッファメモリ５１２、５１５からのデータの読出し処理が進行して、前記残容量が前記所定容量以上となった時点で当該ニヤリーフルフラグ（Ｎｅａｒｌｙ  ＦＦ）がリセットされる。尚、バッファメモリ５１２、５１５の残容量は書込みアドレスと読出しアドレスの相対値を演算する等の処理回路を設けることにより容易に把握でき、前記受信準備信号生成部は写真プリンタ２の機能ブロックを作動制御する写真プリンタコントローラの動作に無関係にハードウェアにより構成されるものであるので、プリンタ２自身の動作に支障を来たすことなく、所定のプリント速度で写真プリントプロセスを実行できる。
【００３７】
前記ＬＶＤＳ制御部５１０は、上述のニヤリーフルフラグ（Ｎｅａｒｌｙ  ＦＦ）の状態に基づいて、図５に示す受信準備信号（Ｂ  ＲｄｙまたはＳ  Ｒｄｙ）を生成してＬＶＤＳドライバＣ４に入力して前記操作ステーション３側のＬＶＤＳレシーバＣ２に転送する。前記操作ステーション３側のＬＶＤＳレシーバＣ２により受信されたバースト受信準備信号またはシングル受信準備信号が前記転送モード制御部５００に入力され、その状態に応じて転送モードが制御されるのである。
【００３８】
上述した画像データ通信制御装置により送信されるプリントデータの送信シーケンスを説明する。前記操作ステーション３で写真画像の編集操作が終了し、前記プリントデータ生成部４４でプリントデータが生成されると、前記送信側バス制御部５０に対してプリントコマンドを出力する。前記転送モード制御部５００は、ＬＶＤＳレシーバＣ２で受信されたシングル受信準備信号がアサートされていれば、前記シングル転送制御部５０２を作動させてプリントコマンドの転送シーケンスを実行させる。当該プリントコマンドには、コマンド属性データとしてデータサイズ等、写真プリントに必要なデータが含まれている。
【００３９】
次に、プリントコマンドによるデータサイズ等の写真プリントに必要なデータ転送が終了したことを確認した後、実際のプリントデータの転送シーケンスに移り、データ転送コマンドを発行することで、前記転送モード制御部５００は、バースト受信準備信号がアサートされていれば、前記バースト転送制御部５０１を作動させて前記プリントデータ生成部４４から受信されたプリントデータの転送シーケンスを実行させる。プリントデータの転送処理中にバースト受信準備信号がネゲートされると、アサートされるまで前記バースト転送制御部５０１によるプリントデータの転送を中断させる。
【００４０】
このようにして転送されたプリントコマンド及びプリントデータを受信した写真プリンタコントローラは、前記印画紙マガジン２１から印画紙Ｐを引き出すとともに、前記プリントデータに基づいて前記露光部２４を駆動して露光し、写真プリントを生成する。
【００４１】
以下に別実施の形態を説明する。上述の実施形態において、前記転送モード制御部５００に、前記プリントデータ生成部４４からコマンドとプリントデータの双方が同時期に入力されるときに、前記バースト転送制御部５０１と前記シングル転送制御部５０２との何れかを優先的に作動させる優先選択部を設けて、コマンドまたはプリントデータの何れかを優先的に転送させるように構成することが可能である。
【００４２】
また、優先選択部による優先順位を可変に設定できるように構成することで汎用性を確保することも可能である。優先順位の可変設定は、例えば前記ＰＣＩバスから前記転送モード制御部５００に対する制御データに基づいて切り替えられるように構成するものや、ハードウェアスイッチにより切り替えられるように構成するもの等適宜公知の技術を用いて構成することができる。
【００４３】
上述した実施形態では、バースト受信準備信号及びシングル受信準備信号が写真プリンタ２側のＬＶＤＳドライバＣ４を介して操作ステーション３側に転送されるものを説明したが、これらの信号に加えて、写真プリンタ２の状態データ、例えば、印画紙切れや紙詰まり等の機器の状態データを送信するように構成することも可能である。
【００４４】
上述した実施形態では、操作ステーション３により第一画像処理部が構成され、前記写真プリンタ２により第二画像処理部が構成されるものを説明したが、これらに限定されるものではなく、画像処理部として汎用のパーソナルコンピュータ、インクジェットプリンタ等既存の画像処理装置を適宜対応させることが可能である。
【図面の簡単な説明】
【００４５】
【図１】本発明による画像データ通信制御装置が搭載された写真処理装置の外観図
【図２】本発明による画像データ通信制御装置が搭載された写真処理装置の要部の構成図
【図３】本発明による画像データ通信制御装置が搭載された写真処理装置の機能ブロック構成図
【図４】本発明による画像データ通信制御装置のブロック構成図
【図５】本発明による画像データ通信制御装置で転送されるデータの構成図
【図６】本発明による画像データ通信制御装置で転送される制御データの説明図
【符号の説明】
【００４６】
２：第二画像処理部（写真プリンタ）
３：第一画像処理部（操作ステーション）
Ｃ：データ転送バス
ＴＣ：画像データ通信制御装置
５０：バス制御部（送信側バス制御部）
５００：転送モード制御部
５０１：バースト転送制御部
５０２：シングル転送制御部
【図１】
2006186754.tif 000003
【図２】
2006186754.tif 000004
【図３】
2006186754.tif 000005
【図４】
2006186754.tif 000006
【図５】
2006186754.tif 000007
【図６】
2006186754.tif 000008